(57)【要約】  【課題】刃物を高速に進退させて、刃物で床材を剥離させるという構造を有した装置では、剥離作業においてはその騒音と振動が非常に大きいという課題を有していた。  【解決手段】駆動源によって回転する巻き上げローラーと、駆動源によって回転する押さえローラーと、床面に貼り付けられた床材に切り込みを入れるために所定間隔に設置された少なくとも２つの刃物と、床材剥離装置を移動させる移動手段とを具備し、前記巻き上げローラーと前記押さえローラー間に床材を狭持し、前記巻き上げローラーと前記押さえローラーの回転によって、前記刃物間隔に切り込みを入れながらて剥離方向へ進行することによって床材を前記刃物間隔に切断しつつ床材を剥離しながら移動する床材剥離装置を提供する。【選択図】    図１
2014095213.tif 000002
【特許請求の範囲】
【請求項１】
床材を剥離する床材剥離装置であって、
駆動源によって回転する巻き上げローラーと、
駆動源によって回転する押さえローラーと、
床面に貼り付けられた床材に切り込みを入れるために所定間隔に設置された少なくとも２つの刃物と、
床材剥離装置を移動させる移動手段とを具備し、
前記巻き上げローラーと前記押さえローラー間に床材を狭持し、
前記巻き上げローラーと前記押さえローラーの回転によって、前記刃物間隔に切り込みを入れながらて剥離方向へ進行することによって床材を前記刃物間隔に切断しつつ床材を剥離しながら移動することを特徴とする床材剥離装置。
【請求項２】
巻き上げローラーと押さえローラーの間隔を調整する機構を有し、少なくともいずれか１つのローラーの位置を調整可能としたことを特徴とする請求項１記載の床材剥離装置。
【請求項３】
巻き上げローラーと押さえローラーとで剥離する床材を狭持する位置は、床面より１００ｍｍ以上上方に位置することを特徴とする請求項１または請求項２記載の床材剥離装置。
【請求項４】
前記移動手段は車輪であって、前記車輪と巻き上げローラーの中心との水平方向の距離は、
床面と巻き上げローラーと押さえローラーとで剥離する床材を狭持する位置との垂直方向における距離の１／２以上であることを特徴とする請求項１〜請求項３のいずれかに記載の床材剥離装置。
【請求項５】
前記車輪の接地位置は、前記刃物が床材に当接している位置よりも床材剥離の上流に位置し、かつ、床材の巾方向においては前記刃物間に位置することを特徴とする請求項４記載の床材剥離装置。
【発明の詳細な説明】
【技術分野】
【０００１】
本発明は床材剥離装置に関するものである。床材の剥離作業において騒音を出さずに長尺の床材を剥がすことができる床材剥離装置に関する。
【背景技術】
【０００２】
従来より床材剥離装置については種々の提案がなされている。例えば、車台の前部に床材剥離用刃板を備えた床材剥離装置において、車台の前部に、車台に対して傾斜できる枠体を設け、該枠体に床材剥離用刃板を取り付けた刃物ブラケットを保持する手段を具備し、上記枠体を傾斜させる角度を変化することにより、上記床材剥離用刃板の床下地に対する角度を調整することを特徴とする床材剥離装置（特許文献１）や、着脱式ハンドルを有する床材剥離機であって、床材を剥離する刃物の幅寸法が２１ｃｍ以下に設定され、床材剥離機本体後方下部に移動用の車輪が設けられ、上記車輪の上方においてグリップ兼用ステップを設け、床材剥離作業中に作業者が上記グリップ兼用ステップに足を乗せて荷重をかけることにより、上記刃物の刃先へ荷重をかけながら床材の剥離作業を行えることを特徴とする床材剥離機（特許文献２）などが知られている。
【先行技術文献】
【特許文献】
【０００３】
【特許文献１】特開平０５−２０２６２２号公報
【特許文献２】特開２０１０−２７０４７６号公報
【発明の開示】
【発明が解決しようとする課題】
【０００４】
上記特許文献１、特許文献２のいずれも床材を剥離するために床材と床の接着面に対して刃物を高速に進退させて、刃物で床材を剥離させるという構造を有した装置であり、剥離作業においては、その騒音と振動が非常に大きいものである。店舗の改装などでは、店舗の営業時間外の例えば深夜などで工事を行えば対応できるが、マンションの渡り廊下などに施工されている床材の貼り替えなどの場合は、マンションの住人がいるために深夜の施工はできず、時間帯を選んで剥離作業を行ったり、ケレン棒を使用して音が出ないように人が床材を剥離したりしなければならなかった。ケレン棒を使用して人手で床材を剥離することは手間と負担のかかる作業であり、また、長尺の床材を剥がそうとして手で床材を持って引っ張ったりしても床材がもろくなってちぎれやすくなっているような現場もあり作業性の改善が望まれていた。
【課題を解決するための手段】
【０００５】
前記課題を解決するために本発明の請求項１は、床材を剥離する床材剥離装置であって、駆動源によって回転する巻き上げローラーと、駆動源によって回転する押さえローラーと、床面に貼り付けられた床材に切り込みを入れるために所定間隔に設置された少なくとも２つの刃物と、床材剥離装置を移動させる移動手段とを具備し、前記巻き上げローラーと前記押さえローラー間に床材を狭持し、前記巻き上げローラーと前記押さえローラーの回転によって、前記刃物間隔に切り込みを入れながらて剥離方向へ進行することによって床材を前記刃物間隔に切断しつつ床材を剥離しながら移動することを特徴とする。
【０００６】
また、本発明の請求項２は、巻き上げローラーと押さえローラーの間隔を調整する機構を有し、少なくともいずれか１つのローラーの位置を調整可能としたことを特徴とする。
【０００７】
また、本発明の請求項３は、巻き上げローラーと押さえローラーとで剥離する床材を狭持する位置は、床面より１００ｍｍ以上上方に位置することを特徴とする。
【０００８】
また、本発明の請求項４は、前記移動手段は車輪であって、前記車輪と巻き上げローラーの中心との水平方向の距離は、床面と巻き上げローラーと押さえローラーとで剥離する床材を狭持する位置との垂直方向における距離の１／２以上であることを特徴とする。
【０００９】
また本発明の請求項５は、前記車輪の接地位置は、前記刃物が床材に当接している位置よりも床材剥離の上流に位置し、かつ、床材の巾方向においては前記刃物間に位置することを特徴とする。
【発明の効果】
【００１０】
駆動源によって回転する巻き上げローラーと、駆動源によって回転する押さえローラーとで床材を狭持して、ローラーの回転によって床材を引っ張りながら剥離するので、騒音は出ず作業環境の改善をすることができる。また、床材剥離装置が、剥離作業をしながら剥離方向へ進んで行くので、作業者が事前に剥離方向を定め、その方向に向けて床材剥離装置を配置して動作させることで、他の作業をしながら剥離作業をすることができる。
【００１１】
駆動源によって回転する巻き上げローラーと、駆動源によって回転する押さえローラーとで床材を狭持する位置は、床面から１００ｍｍ以上の高さとすることで、安定した床材の剥離が行うことができる。所定間隔に配置した刃物を配置させて、床材に食い込ませてローラーによる引っ張りの際に刃物の間隔に切断することができる。作業者が手で持つというように床材の一部に力がかかるというような構成ではなく、ローラーで巾方向に均等に引っ張るテンションをかけるので施工されてからかなりの年月が経過した床材でも切れてしまうことがなく安定した剥離が行える。
【図面の簡単な説明】
【００１２】
【図１】本発明の床材剥離装置の斜視外観図である。
【図２】本発明の床材剥離装置の背面図である。
【図３】本発明の床材剥離装置の平面図である。
【図４】（ａ）は本発明の床材剥離装置の右側面図、（ｂ）は本発明の床材剥離装置の左側面図である。
【図５】スライドステー、刃物ブロックの構成を説明する断面図である。
【図６】（ａ）押さえローラー４の位置調整機構を説明する図、図６（ｂ）構成の概要を説明する図である。
【図７】床材を刃物で切断しながら剥離している状態を説明する図である。
【発明を実施するための最良の形態】
【００１３】
本発明の床材剥離装置１について図面を示しながら説明する。図１は本発明の床材剥離装置の斜視外観を示しており、図２は本発明の床材剥離装置の背面図、図３は本発明の床材剥離装置の平面図、図４（ａ）は本発明の床材剥離装置の右側面図、図４（ｂ）は本発明の床材剥離装置の左側面図である。図２から図４については、本発明の床材剥離装置１の内部構造がわかるように図１には記載しているカバー等を省略して図示している。
【００１４】
本発明の床材剥離装置１は、左右のフレーム側板２ａ、２ｂの間に巻き上げローラー３と巻き上げローラー３に対して位置調整可能に設けられた押さえローラー４が設けられている。巻き上げローラー３はモーター５によって駆動され、モーター軸に取り付けられたモーターギア５ｂから歯車６ｂ、巻き上げローラー３の軸に設けられた歯車３ｂへと回転が伝達されて巻き上げローラー３が回転される。巻き上げローラー３はフレーム側板２ａ、２ｂに設けられた軸受け部材で軸受けされている。
【００１５】
歯車３ｂが設けられた軸６のフレーム側板２ａ側の軸端には歯車６ａが設けられている。軸６もフレーム側板２ａ、２ｂに設けられた軸受け部材で軸受けされている。押さえローラー４の軸端には歯車４ａが設けられ、フレーム側板２ａに回動自在に設けられた回動レバー７に歯車７ａが設けられている。そして歯車４ａ、６ａ、７ａにはチェーン８が設けられ、モーター５の駆動によって軸６が回転し、軸６に設けられた歯車６ａが回転し、チェーン８が設けられていることで上記歯車がそれぞれ回転することで押さえローラー４が回転する。回動レバー７はバネ９によって常にチェーン８を張る方向に付勢された状態となっている。
【００１６】
巻き上げローラー３と押さえローラー４の周速は同じとなるようにしており、図示においては巻き上げローラー３の方の径を大きくした構成としている。巻き上げローラー３の方の径を大きくしているのは、剥離する床材の巻き上げローラー３に対する巻き付き量を大きくするためである。
【００１７】
巻き上げローラー３と押さえローラー４は図では垂直方向に位置して、床材を狭持するようにしているが、巻き上げローラー３と押さえローラー４の位置関係は特に制限することなく押さえローラー４が水平方向に位置するようにしても良いし、斜め方向に位置してもかまわない。図示した状態としているのは、床材を狭持した位置から、剥離方向上流においては、巻き上げローラー３に床材を巻き付けるようにして、床材全幅に均等に剥離するための引っ張りの力がかかるようにするためである。
【００１８】
実際に剥離する際には、巻き上げローラー３と押さえローラー４で床材を狭持する位置が床面に近くなるほど、床材を剥離しにくくなり、狭持する位置が床面から１００ｍｍ程度上方になると安定した剥離ができるようになった。床面から狭持位置が１５０以上にすることが望ましい実施態様となり、巻き上げローラー４の下方には図１にも示すように空間を設け、剥がれにくい床材などの場合、床材剥離装置１の後方からケレン棒などを床材が床面から剥離されている部分に差入れて床材の剥離を手作業で補助するようなことを行えるようにしておくとさらに望ましい実施態様となる。
【００１９】
フレーム側板２ａ、２ｂ間にはステー１０、１１、１２、１３が設けられており、床材剥離装置１の上部に設けられたステー１１とステー１２には、２つの把手１９が取り付けられている。
【００２０】
ステー１０には、取付金具によって２つの車輪１４が設けられている。そしてステー１３にも取付金具によって２つの車輪１４が設けられている。
【００２１】
またステー１３の左右端部（フレーム側板２ａ、２ｂの近傍）それぞれには、スライドステー１５が設けられている。スライドステー１５は図５に示すような断面をし、それぞれの面には長さ方向に渡って溝部１５ａ、１５ｂが設けられている。このような断面の部材が販売されているので市販品を利用すると良い。
【００２２】
このスライドステー１５に、刃物１６を固定した刃物ブロック１７がスライド自在に取り付けられている。刃物１６は刃物押え１７ａで押さえた状態で固定ネジ１７ｂで刃物ブロック１７に固定されている。
【００２３】
刃物ブロック１７は、突起部１７ｃをスライドステー１５の溝部１５ｂに嵌合した状態で、固定ネジ１８を締め込むことによって位置固定される構成となっており、固定ネジ１８を少し弛めることで突起部１７ｃを嵌合した状態でスライド自在となるので、スライドステー１５に対する刃物ブロック１７の位置を調整することで、剥離する床材に対する刃物１６の刃入れ深さを調整するようにしている。
【００２４】
このような構成とすることによって、固定ネジ１８を少し弛めて刃物ブロック１７をスライドすることで床材に対する刃物の刃入れ深さの調整を行うことができ、スライドステー１５を床材に対して斜め方向に設けた構成としているので、刃物１６の刃入れ深さの調整は、刃物ブロック１７を垂直方向に移動させるよりも刃入れ深さの微調整がしやすい構造として提供することができる。もちろん刃物ブロック１７を垂直方向にスライドさせる構造としても良い。刃物は少なくとも２つ設けていると床材を剥離する際に所定の巾に切断しながら剥離することができる。本床材剥離装置１の横幅を大きくする場合においては、刃物１６の数を３つ、あるいは４つとし、剥離後の処分をしやすいように構成してもよい。横幅を大きくすると剥離の効率は上がるが装置本体が大きくなり、運搬も不便となるため、刃物１６の間を２００〜４００ｍｍ程度とし、剥離効率を求める場合には、床材剥離装置を複数使用するようにしてもよい。
【００２５】
ステー１０に設けられた２つの車輪１４の床材との接地位置は刃物１６よりも床材剥離方向における上流側に位置し、かつ、巾方向においては２つの刃物１６の間に位置するので、剥離する前の床材の表面に２つの車輪１４は常に接地することとなるので、蛇行しにくく剥離方向への床材剥離装置の直進性が安定する。２つの刃物１６よりも外側に位置させると２つのうちの片方の車輪１４は床材を剥離した状態の床面に接地し、もう片方は床材の上に接地することになると床材の厚み分床材剥離装置１は傾いた状態となるので蛇行しやすくなってしまうのである。
【００２６】
次に、床材の厚みに対する巻き上げローラー３と押さえローラー４の間隔の調整について説明する。本実施の形態においては、巻き上げローラー３側を固定とし、押さえローラー４を位置調整可能な構成としている。
【００２７】
図６（ａ）は押さえローラー４の位置調整機構を説明する図で、図６（ｂ）はその構成の概要を説明する図である。図６に示すように、押さえローラー４の軸４ａはベアリングを嵌入した昇降軸受部２０に保持されている。そして昇降軸受部２０は、可動フレーム２１のスライド部２１ａに昇降軸受部２０に設けた溝部２０ａを嵌合させて昇降自在な構成とされている。
【００２８】
昇降軸受部２０の昇降は、昇降軸受部２０の上方で可動フレームに取り付けた昇降ネジ２２を回転させることによって行う。昇降ネジ２２は、第１取付部材２３と第２取付部材２４に設けたＵ溝部分に昇降ネジ２２の円筒部２２ａを回転自在に嵌合し、第１取付部材２３と第２取付部材２４を可動フレーム２１にネジ２５で固定して、固定ネジ２２のネジ部２２ｂを昇降軸受部２０に設けた雌ネジ部２０ｂに螺合することによって図６（ａ）の状態に組付けられている。図面には現れていないが、ネジ２５のネジ頭は、可動フレーム２１を皿モミすることにより、可動フレーム２１面と同一あるいはネジ頭の方が可動フレーム２１のフレーム側板２ａに接する面よりも奥まった位置になるようにして可動フレーム２１の動作にネジ頭が影響しないようにしている。
【００２９】
可動フレーム２１は、固定ネジ２６を旋回中心として、旋回可能な状態とされており、フレーム側板２ａ、２ｂに設けた保持部２ｃにパッチン錠の固定部を取付け、図２、図４に示すようにパッチン錠２７で可動フレーム２１を固定している。このパッチン錠２７を外すことで、可動フレーム２１は固定ネジ２６を旋回中心として、旋回できる状態となり、その旋回範囲は、フレーム側板２ａ、２ｂに設けた穴部２ｄに昇降軸受部２０が当接するまでの範囲である。
【００３０】
本発明の床材剥離装置１の使用方法について説明する。
本発明の床材剥離装置１を単に運搬のために移動させたりする場合には、刃物ブロック１７をスライドステー１５の斜め上の方向へ位置させておき、移動の際に刃物１６が床面などに当接して損傷しないようにしておく。
【００３１】
作業現場に移動完了した際には、図５などに示すように刃物ブロック１７に刃物１６が取り付けられてられているか、刃物１６を固定する固定ネジ１７ｂが弛んだりしていないかを確認する。
【００３２】
剥離する床材の下準備として、手作業で、刃物１６、１６間の距離（例えば２８０ｍｍ）の巾で、約４００ｍｍ程度床材を剥がす。本発明の床材剥離装置１にその剥がした床材をセットするのであるが、床材の厚みを確認し、床材剥離装置１の左右上部に設けている昇降ネジ２２を使用して、巻き上げローラー３と押さえローラー４の間隔を調整する。
【００３３】
調整が完了するとパッチン錠２７、２７を外して可動フレーム２１、２１が可動できる状態として、床材を巻き上げローラー３と押さえローラー４の間に挟み込み、床材剥離装置１を剥離する進行方向に向けてパッチン錠２７、２７を固定する。
【００３４】
床材のセットが完了すると、スライドステー１５に固定されている刃物ブロック１７の位置を調整して、刃物１６の床材に対する刃入れ深さを調整する。刃入れ深さは床材の厚みの２／３程度侵入させておくと良い。柔らかく破断しやすい床材であれば床材の厚みの１／２程度の刃入れ深さでもよい。刃入れ深さの調整ができれば電源をオンして、剥がし速度の調整をすれば、床材剥離装置１が巻き上げローラー３と押さえローラー４で床材を巻き上げることによって、図７に示すように自動的に床材を剥離しながら、刃物ブロック１７に取り付けている刃物１６で刃物の巾に切断しながら図７の図面上で右側に移動する。
【００３５】
車輪１４と巻き上げローラー３の中心との水平方向の距離は、床面と巻き上げローラー３と押さえローラー４とで剥離する床材を狭持する位置との垂直方向における距離の１／２以上としており、床材を剥離する際に刃物１６やステー１３側に設けた車輪１４は、床材に対して押しつけられるような力が付勢されるが、その付勢で床材剥離装置１が前方へ転倒してしまったりすることを防いでいる。
【００３６】
床材を切断、剥離しながら床材剥離装置１が直進せずに右又は左に蛇行するようであれば、２つのうちいずれかの昇降ネジ２２の締め加減を調整して、まっすぐに進行するように調整すればよい。また、万一蛇行によって、巻き上げローラー３と押さえローラー４に対して床材の位置を調整したいという場合などにおいては、パッチン錠２７，２７を外して床材を挟んだ状態を解除して、床材の位置や方向、あるいは床材剥離装置１の方向の修正を行なえば良い。
【００３７】
巻き上げローラー３と押さえローラー４で挟んで、２つのローラーの回転によって床材を引っ張って剥離するために、従来の床材剥離装置のような騒音が全く出ない状態で剥離作業ができるのである。
【符号の説明】
【００３８】
１  床材剥離装置
２ａ、２ｂ  フレーム側板
３  巻き上げローラー
３ｂ  歯車
４  押さえローラー
４ａ  軸
５  モーター
５ｂ  歯車
６  軸
６ｂ  歯車
７  回動レバー
８  チェーン
９  バネ
１０〜１３  ステー
１４  車輪
１５  スライドステー
１６  刃物
１７  刃物ブロック
１７ａ  刃物押え
１７ｂ  固定ネジ
１７ｃ  突起部
１８  固定ネジ
１９  把手
２０  昇降軸受部
２０ａ  溝部
２０ｂ  雌ネジ部
２１  可動フレーム
２１ａ  スライド部
２２  昇降ネジ
２３  第１取付部材
２４  第２取付部材
２５  ネジ
２６  固定ネジ
２７  パッチン錠
【図１】
2014095213.tif 000003
【図２】
2014095213.tif 000004
【図３】
2014095213.tif 000005
【図４】
2014095213.tif 000006
【図５】
2014095213.tif 000007
【図６】
2014095213.tif 000008
【図７】
2014095213.tif 000009